(57)【要約】  【解決手段】 画像形成装置において、特定の機能の特定の設定項目に対して予め割り付けられた設定値を指定するための設定値直接指定ボタンを画面２に設け、設定値が指定された状態で画像形成動作が実行された回数を当該設定値に対応付けてカウントし、設定値直接指定ボタンに割り付ける設定値を、前記設定値が指定された状態でカウントされた回数に基づいて変更する。  【効果】画像形成装置が使用される環境において、どのような設定値がそれぞれ何回指定されたかがカウントされる。このカウント結果に基づいて、設定値直接指定ボタンに、よく使用される設定値が常に割り付けられているようにすることができる。よって、機能設定がしやすく使い易い画像形成装置を実現できる。【選択図】        図１３
2005035307.tif 000002
【特許請求の範囲】
【請求項１】
画像形成動作のために必要に応じて、特定の機能の特定の設定項目に対して予め割り付けられた設定値を指定するための設定値直接指定ボタンを表示する表示部と、
設定値直接指定ボタンにより設定値が指定された状態で画像形成動作が実行された回数をカウントする設定値指定回数カウント手段と、
前記設定値直接指定ボタンに割り付ける設定値を、前記設定値が指定された状態でカウントされた回数に基づいて変更する設定値制御手段を備えることを特徴とする画像形成装置。
【請求項２】
前記設定値制御手段は、前記設定値指定回数カウント手段がカウントしたカウント数が所定の最低カウント値を越えていることを条件として、設定値直接指定ボタンに割り付ける設定値を変更することを特徴とする請求項１記載の画像形成装置。
【請求項３】
設定値指定回数カウント手段は、前記設定値制御手段が設定値直接指定ボタンに割り付ける設定値を変更した後、カウント値をリセットするものである請求項１又は請求項２記載の画像形成装置。
【請求項４】
設定値指定回数カウント手段は、直近の所定回数又は直近の所定時間内におけるカウント数を、前記所定の最低カウント値と比較するものである請求項２記載の画像形成装置。
【発明の詳細な説明】
【技術分野】
【０００１】
本発明は、複写機、プリンタ、ファクシミリ等の画像形成装置に関するものである。
【背景技術】
【０００２】
近年の画像形成装置は、画像形成動作のために、必要に応じて設定可能な非常に多くの機能を有している。これら機能の中には、「濃度設定」や「縮小／拡大」等の比較的使用頻度の高いものから、「白黒反転」「鏡像」等の使用頻度の低いものまでが含まれている。
【０００３】
ところで、これらの機能を設定するボタンは、通常、操作パネルに備えられている。
【０００４】
最近の装置では、いわゆるタッチパネル方式の液晶表示部が用いられているものが多く、前記機能設定ボタンは、液晶表示部の中に表示され操作される。
【発明の開示】
【発明が解決しようとする課題】
【０００５】
液晶表示部の表示面積は、比較的広いものの、表示すべき機能も多いので、全ての機能を１つの画面に表示しようとすると、表示が不可能であったり、たとえ表示ができても、表示された機能の中から所望の機能を探しづらい等の問題があった。
【０００６】
かかる欠点を解消するために、従来装置の中には、表示部を複数の画面に切換え可能にし、ある画面には所定の機能を表示し、次の画面には別の機能を表示するといった表示の仕方がされているものがある。
【０００７】
しかしながら、かかる表示は、画面とそこに表示される機能とが固定された関係にあるため、ユーザが使いたい機能の入っている画面を探しづらいという課題があった。
【０００８】
本発明は、使いたい機能を容易に探すことができる、使い勝手の良い画像形成装置を提供することを目的とする。
【課題を解決するための手段】
【０００９】
本発明の画像形成装置は、特定の機能の特定の設定項目に対して予め割り付けられた設定値を指定するための設定値直接指定ボタンを画面に設け、設定値が指定された状態で画像形成動作が実行された回数を当該設定値に対応付けてカウントし、設定値直接指定ボタンに割り付ける設定値を、前記設定値が指定された状態でカウントされた回数に基づいて変更するものである。
【００１０】
この発明は、［発明の実施の形態］の実施例３にかかるものである。
【００１１】
この設定値直接指定ボタンは、たとえば、複数切換え可能な画面のうち第１画面などに常に表示されているので、特定の設定値に関しては、その機能の条件設定画面を開くことなく、直接指定することができる。
【００１２】
ところが、それぞれの機能の条件設定に関して、ある環境でよく使用する設定値（縮小／拡大における特定の倍率など）が、他の環境でよく使用されるとは限らない。
【００１３】
そこで、画像形成装置が使用される環境において、どのような設定値がそれぞれ何回指定されたかがカウントされる。設定値制御手段は、このカウント結果に基づいて、指定頻度が高い設定値を設定値直接指定ボタンに割り付けることができる。すなわち、使用環境によりどのような設定値が多く使われるかを学習し、設定値直接指定ボタンに、よく使用される設定値が常に割り付けられているようにすることができる。よって、機能設定がしやすく使い易い画像形成装置とすることができる。
【００１４】
前記設定値制御手段は、前記設定値指定回数カウント手段がカウントしたカウント数が所定の最低カウント値を越えていることを条件として、設定値直接指定ボタンに割り付ける設定値を変更することが好ましい。画像形成装置の購入当初などカウント値が小さい場合、設定値の割付が頻繁に入れ替わり、かえって操作しにくいということがあり得るからである。
【００１５】
設定値指定回数カウント手段は、前記設定値制御手段が設定値直接指定ボタンに割り付ける設定値を変更した後、カウント値をリセットすることが好ましい。リセットされなければ、カウンタの値が単調に増大してゆき、最新の使用履歴を反映した設定値の割付ができなくなるからである。
【００１６】
前記機能実行カウント手段は、直近の所定回数又は直近の所定時間内におけるカウント数を、前記所定の最低カウント値と比較するものであってもよい。これによっても、最新の使用履歴を反映した機能を前記設定値直接指定ボタンに割り付けることができる。
【発明を実施するための最良の形態】
【００１７】
以下、本発明の実施の形態を、添付図面を参照しながら詳細に説明する。
【実施例１】
【００１８】
図１は、本発明に係る画像形成装置が備える操作パネル１及びその周辺を示すブロック図である。
【００１９】
操作パネル１は、表示画面２および複数の入力キー３ａ，３ｂなどを含んでいる。表示画面２は、いわゆるタッチパネル方式の液晶表示器であり、表示画面２に表示されたキーやボタンを手で触れることにより、情報を入力することができる。
【００２０】
本画像形成装置は、コピー、プリンタ、スキャナ、およびファックスの機能を併せ持つものであり、入力キー３ａによりそれらの機能を切り換えることができる。
【００２１】
表示画面２は、第１画面〜第３画面を切り換えて表示可能なものであり、条件設定する種々の機能は、第１画面〜第３画面の少なくともいずれかに割り付けられて表示される。
【００２２】
入力キー３ａ，３ｂや表示画面２に表示されたキーやボタンによる入力信号は、操作制御部５により処理される。表示制御部４は、メモリ１１，１２，１３の内容を参照しながら、表示画面２の表示内容を制御する。表示制御部４と操作制御部５とは接続されており、必要に応じて互いに信号のやりとりができるようになっている。
【００２３】
表示制御部４及び操作制御部５の各機能は、画像形成装置内に搭載されたマイクロコンピュータが所定のプログラムを実行することにより、実現されるものである。
【００２４】
図２は、本画像形成装置が有する機能と、条件設定時にその機能が表示される画面との関係を記憶したメモリの構成を示す図である。以下では、本画像形成装置が有する機能のうち、コピー関係の機能に絞って示している。
【００２５】
表示制御部４は、表示画面２の第１画面〜第３画面に対応して、第１画面用メモリ１１、第２画面用メモリ１２、および機能リストメモリ（第３画面用メモリ）１３を持っている。第１画面用メモリ１１には、第１画面に表示すべき機能が記憶されている。図２には、「縮小／拡大」、「ソート」、および「両面／分割」の３つが例示されている。これら３つの機能はユーザが選択したものである。ユーザは、これらの内容を書き換えることも可能である。
【００２６】
同様に、第２画面用メモリ１２には、第２画面に表示すべき機能が、記憶されている。図２には、「濃度設定」、「原稿の画質」、および「原稿サイズ選択」の３つが例示されている。
【００２７】
これらの内容の書き換えは、図３に示す画面においてすることができる。図３の画面では、メモリ１１に記憶される機能は基本画面７１にて選ばれ、メモリ１２に記憶される機能は基本画面７２にて選ばれる。書き換え操作は次のようにして行う。
【００２８】
ユーザは、上下ボタン７５，７６に触れて登録機能ウィンドウ７４の1つの機能を選ぶ。ユーザが選ばれた機能の順位を変更したければ、１つ前へポタン７７又は１つ後ろへボタン７８に触れる。これにより、選ばれた機能の順位を任意に変えることができる。
【００２９】
登録機能ウィンドウ７４の第一順位の機能（図３では拡大/縮小）は、基本画面７１の第１の位置に置かれ、登録機能ウィンドウ７４の第ニ順位の機能（図３ではソート）は、基本画面７１の第２の位置に置かれる。また登録機能ウィンドウ７４の第六順位の機能（図３では原稿サイズ選択）は、第２画面７２の第６の位置に置かれる。
【００３０】
基本画面７１に置かれた機能１〜３は、第１画面用のメモリ１１に記憶される機能に対応し、第２画面７２に置かれた機能４〜６は、第２画面用のメモリ１２に記憶される機能に対応する（図２参照）。
【００３１】
前記の６つの機能は基本機能と呼ばれ、使用頻度が高いと予想される機能として、全ての機能の中から予め選定されているものである。
【００３２】
機能リストメモリ（第３画面用メモリ）１３には、全ての機能が記憶されている。機能リストメモリ（第３画面用メモリ）１３は、内容がこれらに固定されている。
【００３３】
図４は、第１画面（基本画面）の内容を示す図である。
【００３４】
表示画面２の下部には、画面を切り換えるための複数のタブ２１が配置されている。これらを触れることにより、第１画面（基本画面）、第２画面（ユーザ機能画面）、第３画面（機能リスト画面）、およびそれ以外の画面（プログラム画面）を切り換えることができるようになっている。
【００３５】
第１画面は、左約５分の２が用紙選択画面２２となっている。右約５分の３は、横方向に３つの領域に分割されており、左から右に向かって３つの条件設定画面表示領域２３ａ，２３ｂ，２３ｃとなっている。
【００３６】
基本機能の中から、「縮小／拡大」、「ソート」、および「両面／分割」の表示態様が選ばれて、それぞれ図４の条件設定画面表示領域２３ａ，２３ｂ，２３ｃに表示されている。
【００３７】
「縮小／拡大」の条件設定画面（条件設定画面表示領域２３ａ）には上から、現在の倍率を表示する倍率表示領域２４、倍率の設定を自動で行うための自動倍率選択ボタン２５、所定倍率で複写を行うための倍率直接指定ボタン２６、および縮小／拡大の設定を行う画面にジャンプするためのジャンプボタン２７が配置されている。
【００３８】
「ソート」の条件設定画面（条件設定画面表示領域２３ｂ）には上から、ソート／ノンソートの現在の設定を視覚的に表している絵表示２８、ソートして排紙を行うためのソート選択ボタン２９、ノンソートで排紙を行うためのノンソート選択ボタン３０、および複写後の用紙に後処理を施す場合の条件設定画面にジャンプするためのジャンプボタン３１が配置されている。
【００３９】
「両面／分割」の条件設定画面（条件設定画面表示領域２３ｃ）には上から、片面→片面、片面→両面選択などの現在の設定を視覚的に表している絵表示３２、原稿の片面を用紙の片面に複写するための片面→片面設定ボタン３３、原稿の片面を用紙の両面に複写するための片面→両面設定ボタン３４、および両面／分割に関する条件設定画面にジャンプするためのジャンプボタン３５が配置されている。
【００４０】
選択ボタン２５，２６，２９，３０，３３，３４は、これらを触れることにより、その機能や設定を有効にすることができる。また、有効になっている機能や設定に対応する選択ボタン２６，２９，３３は、文字が反転表示されており（図では便宜的に反転表示に斜線を付して示す。以下、同様。）、現在の設定値を視覚的に確認できるようになっている。
【００４１】
図５は、ユーザが選択しなかった基本機能を割り付けた第２画面（ユーザ機能画面）の内容を示す図である。ここでは、基本機能として、ユーザが選択しなかった「濃度設定」、「原稿の画質」、および「原稿サイズ選択」が割り付けられている。
【００４２】
画面の左上の領域に、第１画面に選ばれなかった３つの基本機能に関する条件設定画面へのジャンプボタン４１，４２，４３と、その機能の内容を視覚的に表す絵表示４４，４５，４６とが配置されている。各機能のジャンプボタン４１，４２，４３を触れることにより、その機能に関する条件設定画面へジャンプし条件を設定することができる。
【００４３】
この第２画面に割り付けられる基本機能は、第１画面に割り付けられなかったものが自動的に割り付けられるため、ユーザは自分で第２画面に割り付ける必要はない。
【００４４】
以上は、第２画面に条件設定画面へのジャンプボタンを割り付けた例であるが、図６に示すように、選択ボタンをあわせて表示させてもよい。その場合、画面には選択ボタンが表示されるので、画面の切換えをせずに基本的な設定を行うことができる。
【００４５】
図６は、上述の６つの基本機能の表示態様を一覧にして示す図である。
【００４６】
図７は、図５の画面にさらに他の機能を割り付けた、第２画面（ユーザ機能画面）の変更内容を示す図である。
【００４７】
他の機能とは、予め定められた６つの基本機能に含まれない機能である。「他の機能」は、画面の広さにより適当な個数（本実施形態では７つまで）を割り付けることができる。
【００４８】
この第２画面において、基本機能に関するジャンプボタン４１〜４３や絵表示４４〜４６が配置されていない領域に、その他の機能に関するジャンプボタン４７〜５３および絵表示５４〜６０が配置されている。
【００４９】
これらの機能は、「その他の機能」の中からユーザが任意のものを選んで割り付けることができる。図８は、全ての機能の中から「その他の機能」を選ぶ選び方を説明するための図である。図８の画面で、選ばれた７つの機能は、第２画面７２で順位７から１３まで割り付けられている。登録候補ウィンドウ８３は、メモリ１３に格納された他の全ての機能を示している。これら７つの機能の選択操作は、次のようにして行う。
【００５０】
ユーザは、登録機能ウィンドウ７４の中から１つの機能を選び、登録候補ウィンドウ８３の中から１つの機能を選ぶ。移動ボタン８０に触れると、ウィンドウ８３の中で選ばれた機能とウィンドウ７４の中で選ばれた機能とが入れ替わる。
【００５１】
この操作によって、任意の機能を登録機能ウィンドウ７４の中に選ぶことができる。選ばれた機能は、第２画面７２の７番目から１３番目の位置を占める。ここで選ばれている機能は、「集約」、「ページ印字」、「フォーム合成」、「とじしろ／画像移動」、「枠消し」、「週刊誌とじ」、および「製本」の７つである。これらのジャンプボタン４７〜５３を触れることにより、それぞれの機能の条件設定画面へとジャンプすることができる。
【００５２】
図９，図１０は、第３画面（機能リスト画面）の内容を示す図である。
【００５３】
第３画面は、２つのページを含んでいる。これらのページには、各機能の条件設定画面へジャンプするためのジャンプボタンが縦４つ×横４つに配置して表示できるようになっている。本画像形成装置は、２０の機能を有している。第３画面の最初のページ（図９）に、最初の１６の機能のジャンプボタン５８が表示され、２ページ目（図１０）には、残りの４つの機能のジャンプボタン５９が表示されるようになっている。これらのジャンプボタン５８，５９を触れることにより、それぞれの機能の条件設定画面へジャンプし条件を設定することができる。いずれのページにも、画面の右側に、表示するページを変更するためのページ変更キー６０が配置されている。
【００５４】
以上のように、本発明の画像形成装置においては、一般によく使う機能である基本機能を、ユーザの好みに応じて第１画面と第２画面に割り付けて表示することが可能である。さらに、第２画面には基本機能以外の機能を割り付けることが可能である。
【００５５】
したがって、最もよく使う機能を第１画面に表示させ、かつ第１画面の中で主要な設定を行うことができる。次によく使う機能は、第２画面にまとめて表示させることができる。比較的使用頻度が低い機能は、第３画面から探して使用することが可能である。
【００５６】
このように、本発明の画像形成装置は、画像形成動作のために必要に応じて設定する機能がわかりやすく表示され、表示内容はユーザの好みにより変更可能であるので、使い勝手や操作性がよい。
【実施例２】
【００５７】
本発明の第２の実施形態を説明する。この第２の実施形態においては、表示画面２が、第１画面〜第３画面を持つことは、第１の実施形態と同様である。
【００５８】
図１１は、第２の実施形態に係る画像形成装置が備える操作パネル１及びその周辺を示すブロック図である。
【００５９】
図１のブロック図と異なるところは、操作制御部５から機能実行カウント値が表示制御部４に入力されるようになっており、この表示制御部４において、後述するアルゴリズムに従って演算処理され、その演算結果に応じて、第１画面、第２画面の表示内容が可変となることである。
【００６０】
図１２は、画像形成装置の表示画面２の表示内容（すなわち第１画面用メモリ１１、第２画面用メモリ１２の記憶内容）を変更するためのフローチャートである。このアルゴリズムでは、「濃度設定」の配置を第２画面用メモリ１２から第１画面用メモリ１１に変更する場合を例示しているが、第２画面に表示されている他の機能に関しても同様に変更できる。
【００６１】
表示画面２が第２画面に切換えられる（ステップＳ１）と、第２画面に表示されている３つの機能（図５参照）のいずれかが選択されるまで入力待ちとなる（ステップＳ２）。ここで第２画面に関する操作をせず、画面を第１画面に切換えるなどの割り込み処理を行うことも可能であり、この場合、フローは中断する。
【００６２】
ステップＳ２でYESの場合、「濃度設定」の設定値（濃度）が変更になるまで待つ（ステップＳ３）。ここで、第２画面に表示されている他の機能に関する設定値の変更を行うなどの割り込み処理を行うことも可能であり、この場合、フローは中断する。濃度の設定値が変更になり複写が実行されると（ステップＳ３のYES）、濃度変更カウンタＡを１つカウントアップする（ステップＳ４）。すなわち、ＡにＡ＋１を代入する。これにより、濃度の変更が行われて複写が実行された回数がカウントされる。
【００６３】
図１２には示していないが、同様に適当なタイミングで、第２画面に表示されている他の機能や、第１画面に表示されている機能に関して、設定値の変更が行われて複写が実行された場合も、それぞれの機能に関するカウンタ（複数）がカウントアップされる。
【００６４】
カウンタは、６つの基本機能に関してのみ設けられている。
【００６５】
続いて、「濃度設定」のカウント値Ａの値が、第１画面に表示されている３つの機能のカウント値より大きいか否かの判定が行われる（ステップＳ５）。判定は、予め定められた規則に基づいて行われる。たとえば、第１画面に表示されている３つの機能の中で、最もカウント値が大きいものと比べる、２番目にカウント値が大きいものと比べる、または最もカウント値が小さいものと比べるなどであり、目的に合った方法を選ぶことができる。
【００６６】
なお、このステップＳ５の判定は、カウント値Ａが所定の最低カウント値（たとえば１００）を越えているときにのみ行うようにすることも可能である。画像形成装置の購入当初などカウント値が小さい場合、画面上で機能が表示される位置が頻繁に入れ替わり、かえって操作しにくいということがあり得るからである。
【００６７】
「濃度設定」のカウント値Ａが、第１画面に表示されているいずれかの機能のカウント値より大きい場合は、第１画面および第２画面に表示する機能が入れ替えられる（ステップＳ６）。「濃度設定」の機能は、第１画面の条件設定画面表示領域２３ａ，２３ｂ，２３ｃのうち適当な位置に割り付けられる。同時に、それまで第１画面に表示されていた機能の中で最もカウント値が小さい機能が、第２画面の適当な位置に割り付けられる。これらの配置の変更は、図２に示す第１画面用メモリおよび第２画面用メモリの内容を書き替えることで達成される。
【００６８】
最後に、すべての機能についてのカウンタをリセットする（ステップＳ７）。リセットされなければ、カウンタの値が単調に増大してゆき、最新の使用履歴を反映した機能の並べ替えが起こり難くなるからである。リセットをしない場合、同じ目的のために、直近の所定回数（たとえば１００回）分、または直近の所定時間（たとえば１ヶ月）内のカウンタのカウント値を使って、並べ替えの判定（ステップＳ５）を行うようにしてもよい。
【００６９】
このような表示画面２の表示内容の制御方法により、よく使う機能は自動的に第１画面に表示されるようになる。したがって、よく使う機能が変わった場合でも、ユーザは自分で使い勝手がよいように表示内容を変更する必要はない。
【００７０】
また、第１画面と第２画面とに表示されうる機能は、基本機能の６つに制限されているため、表示される機能の配置が変更された直後でも、設定を行いたい機能を探し出すのは容易である。
【００７１】
「濃度設定」の機能が、第１画面に割り付けられることにより、第１画面における「濃度設定」の表示態様は図６の左上に示すものになる。すなわち、上から、現在の濃度を表示する濃度表示領域６４、濃度の設定を手動で行うための濃度設定ボタン６５、トナーを節約するためのＥＣＯボタン６６、および「濃度」の詳細な設定を行う画面にジャンプするためのジャンプボタン６７が配置されたものとなる。
【実施例３】
【００７２】
本発明の第３の実施形態を説明する。この第３の実施形態においては、表示画面２が、第１画面〜第３画面を持つことは、第１，第２の実施形態と同様である。
【００７３】
この第３の実施形態によれば、特定の機能の特定の設定項目に対して設定値直接指定ボタンに割り付けられている設定値が、もっとも回数多く指定された設定値に変更される。
【００７４】
以下、「設定値」として、「縮小／拡大」機能の倍率を例にとって説明する。図１３は、第３の実施形態に係る画像形成装置が備える操作パネル１及びその周辺を示すブロック図である。
【００７５】
図１のブロック図と異なるところは、設定値制御部７が設けられており、操作制御部５から設定値指定カウント数が設定値制御部７に入力されるようになっており、この設定値制御部７において、後述するアルゴリズムに従って演算処理され、その演算結果に応じて、設定値直接指定ボタンに割り付けられる設定値が可変となることである。
【００７６】
図１４は、画像形成装置の表示画面１に表示される倍率直接指定ボタン２６に割り付けられた倍率の設定値を変更するためのフローチャートである。
【００７７】
「縮小／拡大」の設定ボタン（たとえば詳細な設定画面へのジャンプボタン２７など）がＯＮにされる（ステップＴ１）。
【００７８】
ここで、指定されている倍率が自動倍率か固定倍率かを調べ（ステップＴ２）、自動倍率が指定された場合は、以下の処理を行わない。
【００７９】
デフォルトで設定されている固定倍率で複写がスタートになるか、又は固定倍率キーで設定された固定倍率で複写がスタートされると（ステップＴ２のYES）、複写時の当該倍率指定回数がカウントアップされる（ステップＴ３）。これにより、たとえば今までに倍率７０％が何回指定されたか、倍率９０％が何回指定されたかがカウントされる。
【００８０】
次に、カウントアップされた倍率のカウント値が、倍率直接指定ボタン２６に割り付けられている倍率のカウント値より大きいか否かが判定される（ステップＴ４）。ここで、カウントアップされた倍率と、倍率直接指定ボタンに割り付けられている倍率とは異なるものであるとする。この判定は、カウント値が所定の最低カウント値（たとえば１００）を越えているときにのみ行うようにすることも可能である。画像形成装置の購入当初などカウント値が小さい場合、倍率直接指定ボタン２６に割り付けられる倍率の設定値が頻繁に入れ替わり、かえって操作しにくいということがあり得るからである。
【００８１】
カウントアップされた倍率のカウント値の方が大きければ、倍率接指定ボタン２６に、そのカウント値の大きな倍率が割り付けられる（ステップＴ５）。そして、すべての設定値についてのカウンタがリセットされる。リセットされなければ、カウンタの値が単調に増大してゆき、最新の使用履歴を反映した設定値の入れ替えが起こり難くなるからである。リセットをしない場合、同じ目的のために、直近の所定回数（たとえば１００回）分、または直近の所定時間（たとえば１ヶ月）内のカウンタのカウント値を使って、設定値変更の判定（ステップＴ４）を行うようにしてもよい。
【００８２】
ステップＴ４で、直前にカウントアップされた倍率のカウント値の方が大きくなければ（ステップＴ４のNO）、処理は終了する。
【００８３】
すべての機能について、このような倍率直接指定ボタン２６のような機能を持つ「設定値直接指定ボタン」があり得るわけではないが、本発明の第３の実施形態によれば、設定値直接指定ボタンを有する機能については、よく使う設定値を画面を切り替えずに直接指定することができる。
【００８４】
以上で、本発明の実施の形態を説明したが、本発明の実施は、前記の形態に限定されるものではなく、本発明の範囲内で種々の変更をほどこすことが可能である。
【図面の簡単な説明】
【００８５】
【図１】本発明の第１の実施形態に係る画像形成装置が備える操作パネル周辺を示すブロック図である。
【図２】本画像形成装置が有する機能と、条件設定時にその機能が表示される画面との関係を記憶したメモリの構成を示す図である。
【図３】第１、第２画面に表示される機能を選択するための画面図である。
【図４】ユーザによって選択された基本機能を割り付けた第１画面の内容を示す図である。
【図５】ユーザによって選択されなかった基本機能を割り付けた第２画面の内容を示す図である。
【図６】６つの基本機能の表示態様を示す図である。
【図７】図５の画面にさらに他の機能を追加して割り付けた第２画面の内容を示す図である。
【図８】第２画面に表示される「他の機能」を選択するための画面図である。
【図９】第３画面（第１ページ）の内容を示す図である。
【図１０】第３画面（第２ページ）の内容を示す図である。
【図１１】本発明の第２の実施形態に係る画像形成装置が備える操作パネル周辺を示すブロック図である。
【図１２】表示画面２の表示内容を制御するためのフローチャートである。
【図１３】本発明の第３の実施形態に係る画像形成装置が備える操作パネル周辺を示すブロック図である。
【図１４】表示画面２の表示される倍率直接指定ボタン２６に割り付けられた倍率の設定値を制御するためのフローチャートである。
【符号の説明】
【００８６】
１  操作パネル
２  表示画面
３ａ，３ｂ  入力キー
４  表示制御部
５  操作制御部
１１，１２，１３  メモリ
【図１】
2005035307.tif 000003
【図２】
2005035307.tif 000004
【図３】
2005035307.tif 000005
【図４】
2005035307.tif 000006
【図５】
2005035307.tif 000007
【図６】
2005035307.tif 000008
【図７】
2005035307.tif 000009
【図８】
2005035307.tif 000010
【図９】
2005035307.tif 000011
【図１０】
2005035307.tif 000012
【図１１】
2005035307.tif 000013
【図１２】
2005035307.tif 000014
【図１３】
2005035307.tif 000015
【図１４】
2005035307.tif 000016